【手続補正書】
【提出日】平成15年8月27日(2003.8.27)
【手続補正１】
【補正対象書類名】明細書
【補正対象項目名】全文
【補正方法】変更
【補正の内容】
【発明の名称】少なくとも２個のリングシステムを有し且つ非同期転送モードで動作するローカルエリアネットワーク
【特許請求の範囲】
【請求項１】複数のネットワークインターフェースを具えている、セルを伝達するために非同期転送モードで動作するローカルエリアネットワークにおいて、
各々が２個のネットワークインターフェースを具えている少なくとも２個のリングシステムが設けられ、それらのリングシステムが各々少なくとも１個のブリッジ接続を具えていること、及び第１リングシステムの第１ネットワークインターフェースと第２リングシステムの第１ネットワークインターフェースとが、２個のリングシステム間でセルストリームを伝達するために、少なくとも第１ブリッジ接続を介して結合され、且つ第１リングシステムの第２ネットワークインターフェースと第２リングシステムの第２ネットワークインターフェースとが、２個のリングシステム間でセルストリームを運ぶために、少なくとも第２ブリッジ接続を介して結合されていることを特徴とするローカルエリアネットワーク。
【請求項２】請求項１記載のローカルエリアネットワークにおいて、
第１ブリッジ接続の中断がある場合には、第１ネットワークインターフェースは宛て先が他のリングシステムであるセルを前記他のリングシステムへ運ぶために備えられないこと、及び、第２ブリッジ接続の中断がある場合には、第２ネットワークインターフェースは宛て先が他のリングシステムであるセルを前記他のリングシステムへ運ぶために備えられないことを特徴とするローカルエリアネットワーク。
【請求項３】請求項２記載のローカルエリアネットワークにおいて、
第１又は第２ネットワークインターフェースが、少なくとも１個の受信リング接続と１個の送信リング接続及び２個のブリッジ接続を切り換えるためのスイッチを具えていること、受信リング接続とブリッジ接続とが、セルのヘッダフィールドからアドレス情報が取られてしまった後でスイッチ内の経路を制御するための各経路メモリ）を割り当てられること、及びリングシステムの第１及び第２ネットワークインターフェースの経路メモリが同様の内容を有することを特徴とするローカルエリアネットワーク。
【請求項４】非同期転送モードで動作するローカルエリアネットワーク内のセルを伝達する方法であって、該ネットワークは複数のネットワークインターフェースを具えている伝達する方法において、
‐  少なくとも第１ブリッジ接続を介して第１リングシステムの第１ネットワークインターフェースと第２リングシステムの第１ネットワークインターフェースとの間、及び
‐  少なくとも第２ブリッジ接続を介して第１リングシステムの第２ネットワークインターフェースと第２リングシステムの第２ネットワークインターフェースとの間で、セルが伝達されることを特徴とする非同期転送モードで動作するローカルエリアネットワーク内のセルを伝達する方法。
【発明の詳細な説明】
【０００１】
【発明の属する技術分野】
本発明は複数のネットワークインターフェースを具えている、セルを伝達するために非同期転送モード（ＡＴＭ；Asynchronous Transfer Mode）で動作するローカルエリアネットワークに関するものである。
【０００２】
【従来の技術】
非同期転送モードにて動作するローカルエリアネットワーク（ＬＡＮ；LocalArea Network）は欧州特許明細書第EP-0 641 105 A2 号から既知である。このネットワークは複数の局と各々が送信及び受信リング接続を具えている割り当てられたネットワークインターフェースとを具えている。この様式で構成されたリングを介して、目的の点、例えば特定の局についてのアドレス情報を含んでいるセルが伝達される。ネットワークインターフェースは、スイッチと制御器とを具えている。そのスイッチは受信リング接続へ割り当てられた経路メモリと、受信局接続へ割り当てられた経路メモリとを具えている。セルが受信された時に、それぞれの切換又は結合動作が経路メモリに基づいたスイッチにおいて実行される。例えは、到着したセルがアドレス情報に基づいて、制御器と局とリングとへの全部又はいずれかへ運ばれる。
【０００３】
システムにおいて非同期転送モードが用いられる場合には、ペイロード情報、例えば、テレビジョン、画像又は音声信号がディジタル信号処理装置に沿って固定長ブロックで送られる。所定のバイト数（例えば53バイト）を含んでいるセルが固定長ブロックで表される。各セルは、例えば、５バイトの長さを有するヘッダフィールドと、ペイロード情報が、例えば、48バイトの長さを有して収容されている情報フィールドとを具えている。そのようなヘッダフィールド内にアドレス情報、誤り検出のためのデータ、及び制御情報のためのデータが含まれている。アドレス情報はトランク識別子とリンク識別子とを具えている。仮想チャネル識別子（ＶＣＩ：Virtual Channel Identifier）とも称されるリンク識別子は、このシステム内のセルの宛て先についての指示を含んでいる。セルを伝達するために、仮想チャネルが仮想チャネル識別子に基づいて有効にされる。規則として、仮想チャネル識別子は切換点が到達する度ごとに変えられる。複数の仮想チャネルの群が仮想経路で表される。仮想経路はトランク識別子によって特徴付けられる。そのような仮想経路は仮想経路識別子（ＶＰＩ：VirtualPath Identifier）を参照事項として付けられる。セルは順次に決定されるタイムスロットへ割り当てられる。そのようなタイムスロットの継続期間は切換構成要素に対する基準として用いられるクロック周波数に依存する。ペイロード情報が有効でない場合には、空のセルが、すなわちペイロード情報無しのセルがそのようなタイムスロット内に伝達される。ペイロード情報を含んでいるセルはペイロードセルを参照事項として付けられる。
【０００４】
欧州特許明細書第EP-0 641 105 A2 号から既知のローカルエリアネットワークは単一のリングシステムのみを具え、且つ複数のリングシステムを介するセルを交換するいかなる可能性をも与えない。この時リングシステムは１個のリング又は反対方向のセルストリームのために２個のリングを具えてもよい。リングは複数のネットワークインターフェースを介する閉じられた信号路を具えている。
【０００５】
ドイツ国特許公開明細書第DE 40 02 022 A1 号から、トークン通過原理に従って動作する２個のバスシステムの間のデータの大いに利用できる伝達のための方法及び装置が既知である。これらの２個のバスシステムはデータを交換するために設けられた２個の結合路を介して接続されている。一方の切換路が活性であり且つ他方は待機モードにある。待機モードにおける切換路は活性切換路のトークンの正規の伝達を点検する。活性な切換路が故障した場合には、ここまで待機モードで動作している切換路が活性化される。この方法で、常に単一の切換路のみがこの装置内で活性である。
【０００６】
【発明が解決しようとする課題】
それ故に、リングシステム間のセルの交換も可能である、非同期転送モードで動作するローカルエリアネットワークを提供することが本発明の目的である。
【０００７】
【課題を解決するための手段】
各々が２個のネットワークインターフェースを具えている少なくとも２個のリングシステムが設けられ、それらのリングシステムが各々少なくとも１個のブリッジ接続を具えていること、及び第１リングシステムの第１ネットワークインターフェースと第２リングシステムの第１ネットワークインターフェースとが、２個のリングシステム間でセルストリームを伝達するために、少なくとも第１ブリッジ接続を介して結合され、且つ第１リングシステムの第２ネットワークインターフェースと第２リングシステムの第２ネットワークインターフェースとが、２個のリングシステム間でセルストリームを運ぶために、少なくとも第２ブリッジ接続を介して結合されていることで、非同期転送モードで働く冒頭部分で定義された種類のローカルエリアネットワークにより、この目的は達成される。
【０００８】
本発明によるローカルエリアネットワークは１個又は２個のリングを有する少なくとも２個のリングシステムを具えている。セルは一方のリングシステムから他方のリングシステムへそれぞれの第１ネットワークインターフェースを介して伝達され得る。２個の第１ネットワークインターフェースはその時少なくとも１個のブリッジ接続を介して結合される。第１及び第２リングシステムは各々少なくとも第２ブリッジ接続を介して結合された第２ネットワークインターフェースをも含んでいる。かくしてセルストリームは第１か又は第２ネットワークインターフェースのいずれかを介して流れ得る。一方のブリッジ接続が故障した場合には、セルストリームは本発明による手段が実行される場合に他方のブリッジ接続を通って流れることができる。
【０００９】
第１ブリッジ接続の中断がある場合には、第１ネットワークインターフェースは宛て先が他のリングシステムであるセルを前記他のリングシステムへ運ぶために備えられない。同様に、第２ブリッジ接続の中断がある場合には、第２ネットワークインターフェースは宛て先が他のリングシステムであるセルを前記他のリングシステムへ運ぶために備えられない。中断されたブリッジ接続へ割り当てられたネットワークインターフェースはかくしてもはやあらゆるセルにブリッジ接続へ流れることを許さないが、セルをリング上へ運ぶ。
【００１０】
本発明の別の実施例においては、受信リング接続とブリッジ接続とがセルのヘッダフィールドからアドレス情報が取られてしまった後でスイッチ内の経路を制御するための各経路メモリを割り当てられることで、及びリングシステムの第１及び第２ネットワークインターフェースの経路メモリが同様の内容を有することで、第１又は第２ネットワークインターフェースが、少なくとも１個の受信リング接続と１個の送信リング接続及び２個のブリッジ接続を切り換えるためのスイッチを具えていることを与えられる。リングシステムのネットワークインターフェース内の経路メモリは同じ内容を有するので、第１ブリッジ接続が故障した場合にセルストリームが第２ブリッジ接続を介して遅延無しに運ばれ得る。
【００１１】
本発明は非同期転送モード（ＡＴＭ）で動作するローカルエリアネットワーク内のセルを伝達する方法にも関連しており、該ネットワークは複数のネットワークインターフェースを具えている。この目的のために、少なくとも第１ブリッジ接続を介して第１リングシステムの第１ネットワークインターフェースと第２リングシステムの第１ネットワークインターフェースとの間、及び少なくとも第２ブリッジ接続を介して第１リングシステムの第２ネットワークインターフェースと第２リングシステムの第２ネットワークインターフェースとの間で、セルが伝達される。
【００１２】
本発明のこれらの態様が以下に記載される実施例から明らかにされ、本発明のその他の態様が以下に記載される実施例を参照して解明されるであろう。
【００１３】
【発明の実施の形態】
図１は６個のリングシステム１〜６を具えているローカルエリアネットワークの図式的態様を示している。リングシステム１〜６は１個又は２個のいずれかのリングを具えてもよい。リングシステム１と２とは１個のリングを含んでおり、リングシステム３〜６は２個のリングを含んでいる。リングは複数のネットワーク結合点を介する閉じられた信号路を表現している。リングシステム３〜６は、各々２個の反対に向けられたリングを形成し、すなわち信号は反対方向でリング上を流れる。リングシステム１〜６内に矩形として示されたネットワーク結合点は、２個又は４個のリング接続と２個のブリッジ接続とを有するネットワークインターフェースを具えている。
【００１４】
もう一つのリングシステムの局又はネットワークインターフェースのいずれかがブリッジ接続へ接続される。例えば、合計３個の局へのネットワークインターフェースとリングシステム３及び５のネットワークインターフェースへの４個のネットワークインターフェースとが、図１におけるリングシステム４に対して接続されている。局は、それぞれ、例えば、ビデオ電話、パーソナルコンピュータ又はワークステーション又は電話であってもよい。それぞれ局又はネットワークインターフェースから発生する通信文、すなわち情報信号は、セルによって非同期転送モードで伝達される。セルは、例えば５バイトのヘッダフィールドと、例えば48バイトの情報フィールドとを含んでいる。セルのヘッダフィールド内に含まれる情報は特にアドレスするため及び切換機能を実行するために用いられる。各ネットワーク結合点は更にその上、ローカルエリアネットワークを制御するために（図示されない）ネットワーク管理システムへ結合されている。
【００１５】
４個のリング接続を有するネットワークインターフェース７が、図２に詳細に示されている。ネットワークインターフェース７は、バッファ記憶装置９〜14を介してリング及びブリッジ接続へ結合されているスイッチ８を具え、セルストリームを伝達する。
【００１６】
バッファ記憶装置９は、一方では第１リングの受信リング接続15へ接続され、他方ではスイッチ８へ導く接続16へ接続されている。バッファ記憶装置９は、更に受信リング接続15のセルストリームから得られる第１受信クロック信号と、ネットワークインターフェース７のクロック発生器からの内部クロック信号とを受信する。バッファ記憶装置10は、接続17を介してスイッチ８へ結合され、且つ第１リングの送信リング接続18へセルストリームを印加する。バッファ記憶装置10は内部クロック信号と、例えば内部クロック信号から得られる第１送信クロック信号とを供給される。
【００１７】
バッファ記憶装置11は、第２リングの受信リング接続19からセルストリームを受信し、且つ接続20を介してスイッチ８へセルストリームを供給する。スイッチ８の接続21から、バッファ記憶装置12がセルを受信し、そのセルが第２リングの送信リング接続22へ輸送される。バッファ記憶装置11が、受信リング接続19のセルストリームから得られる第２受信クロック信号と内部クロック信号とを受信する。バッファ記憶装置12が内部クロック信号と、例えば内部クロック信号から得られる第２送信クロック信号とを供給される。
【００１８】
ブリッジ接続23がバッファ記憶装置13を介してネットワークインターフェース７へ結合され、且つブリッジ接続24がバッファ記憶装置14を介してネットワークインターフェース７へ結合されている。スイッチ８からセルストリームを受信するバッファ記憶装置13が接続接続25を介してスイッチ８へ結合されている。バッファ記憶装置13は内部クロック信号、及びブリッジ接続23及び24へ結合された局から、必要に応じ、第１局信号をも供給される。もう一つのリングシステム又は局のネットワークインターフェースからセルストリームを供給されるバッファ記憶装置14は、ブリッジ接続24を介してもう一つのリングシステムの局、又はネットワークインターフェースへ結合され、且つ接続26を介してスイッチ８へ接続されている。このバッファ記憶装置14は、必要に応じ、局からの第２局信号と内部クロック信号とを受信する。バッファ記憶装置９〜14において、セルストリームがクロック信号へ適合される。セルストリームからの種々のクロック信号の取得とクロック発生器における内部クロック信号の発生とは、ここでは別に示されていない。局クロック信号は、例えば内部クロック信号と等しくてもよい。その場合には、バッファ記憶装置13及び14は必要ではない。
【００１９】
ネットワークインターフェース７は更にスイッチ８を制御する制御器27を含んでおり、その制御器は、例えば接続を設定するため又は排除するために用いられる。マイクロプロセッサとして実現されてもよい制御器27は、セルを受信及び発生してもよい。
【００２０】
スイッチ８は更に、切換回路網28、３個の経路メモリ29,30,31及び３個の受信回路32,33及び34を含んでいる。受信回路32,33及び34において、接続16,20及び26を介して到達するセルのヘッダフィールドが評価される。
【００２１】
ヘッダフィールド内に含まれるアドレス情報が受信回路32,33及び34へ接続された経路メモリ29,30及び31に対する種々の表を制御するために用いられる。表内に記憶されたデータがセルの別の処理及び輸送を編成するためにそれぞれの受信回路32,33及び34により用いられる。例えば、受信回路32はセルを複写でき、且つそれに新しいアドレス情報を与えることができる。元のセルは、例えば切換回路網28を介してブリッジ接続23へ送られるのに対して、複写されたセルは切換回路網28を介してバッファ記憶装置10へ送られる。切換回路網28がこの複写機能を実行すると言うもう一つの可能性が存在する。
【００２２】
受信回路32は接続16を介してバッファ記憶装置９へ結合され、且つ受信されたセルを切換回路網28へ輸送する。経路メモリ29が受信回路32へ接続されている。受信回路33は経路メモリ30へ接続されており、バッファ記憶装置11からセルを受信し、且つ切換回路網28へセルを運ぶ。切換回路網28と接続26との間に経路メモリ31へ接続されている受信回路34を挿入されている。
【００２３】
ペイロードセルの二つの型が第１リングのリング接続15と18とを介して、及び19と22とを介して送信される。それらは、一方では、それらの情報フィールド内に前に確立された接続のうちの、例えばユーザの通信文又はデータを含むユーザセルであり、また他方では、それらの情報フィールド内に付加バイトを含む制御セルである。
【００２４】
図３は２個のリング接続48及び49を有するネットワークインターフェース47を示している。ネットワークインターフェース47は、図２のネットワークインターフェース７と類似した方法で動作する。このネットワークインターフェースによって、セルがリング接続48と49、ブリッジ接続50と51、及び制御器52の間をスイッチ53により伝達される。スイッチ53は切換回路網54、２個の受信回路55と56、及び２個の経路メモリ57と58を具えている。リング接続48はバッファ記憶装置59と接続60とを介して受信回路55へ結合されている。経路メモリ57へ結合されている受信回路55は、受信されたセルを切換回路網54へ輸送する。経路メモリ57は、必要に応じ、受信回路55へ受信されたセルのヘッダフィールドに対する新しい付加バイトを適用する。切換回路網54は更にその上接続65とバッファ記憶装置66とを介してリング接続49へ結合されている。
【００２５】
ブリッジ接続50と51とはそれぞれ、バッファ記憶装置61と62とへ各々接続されている。バッファ記憶装置61は接続63を介して切換回路網54からセルを供給される。バッファ記憶装置62と切換回路網54との間に、経路メモリ58へ結合されている受信回路56が挿入されている。受信回路56とバッファ記憶装置62とは接続64を介して結合されている。制御器52は経路メモリ57と58とを制御するために用いられ、且つ少なくとも切換回路網54からのセルを受信する。
【００２６】
図２に示されたような４個のリング接続を有するネットワークインターフェースは、図３に示されているように、各々２個のリング接続を有する３個のネットワークインターフェースからも形成され得る。図４には３個のネットワークインターフェース67, 68及び69が示されている。ネットワークインターフェース68のリング接続70と71及びネットワークインターフェース69のリング接続73と74も、それらが接続された場合にはリング接続を形成する。ネットワークインターフェース69のブリッジ接続76は、ネットワークインターフェース67のリング接続であり、ネットワークインターフェース67のブリッジ接続77と78もこの配置においてはブリッジ接続である。ネットワークインターフェース68のブリッジ接続75は、ネットワークインターフェース67のリング接続であり、ネットワークインターフェース67のブリッジ接続77と78もこの配置においてはブリッジ接続である。ネットワークインターフェース67の別のリング接続は、ネットワークインターフェース69のブリッジ接続76へ接続されている。ブリッジ接続72が更に２個のネットワークインターフェース68と69とを接続している。
【００２７】
ネットワークインターフェースはかくして、４個のリング接続が存在する場合には、一方のリング接続から同じリングのもう一つのリング接続へ、ブリッジ接続又は局接続へ、あるいはまた他方のリングのリング接続へ、セルを運ぶ。ブリッジ又は局接続上のセルはリング接続へ輸送される。セルはまたネットワークインターフェースの制御器により送信され且つ受信されてもよい。
【００２８】
仮想チャネル識別子（ＶＣＩ：Virtual Channel Identifier）のためにセルのヘッダフィールド内の一定のビットが保留される。標準化勧告に従って、この識別子はセルの宛て先を含み且つ従って仮想チャネルを表している。更にその上、セルのヘッダフィールド内の一定のビットが仮想経路識別子（ＶＰＩ：VirtualPath Identifier）のために保留され、その識別子が複数の仮想チャネルの群を示す。現在の標準化規定に従って、セルのヘッダフィールド内の８ビットが仮想経路識別子に対して、且つ16ビットが仮想チャネル識別子に対して保留される。
【００２９】
この例解としての実施例における仮想チャネル識別子と仮想経路識別子とが、前記の標準化勧告と異なった情報に対して与えられる。仮想経路識別子はアドレス（アドレス情報）、すなわちリングシステム内のセルの宛て先（ネットワーク結合点）についての情報を含んでいる。仮想チャネル識別子は、チャネルに対するユーザ関連識別、チャネルの種類、及びセルの種類を指示するために用いられる。更にその上、仮想チャネル識別子はリングシステムに対するアドレスとして用いられる。
【００３０】
ネットワークインターフェース７の制御器27又はネットワークインターフェース47の制御器52が、他の局に対する１個の割り当てられた局の接続組織を制御する。接続の設立と解消とに対するそれぞれの制御動作は、例えば欧州特許出願第EP-0641105(A2)を利用することができる。
【００３１】
それぞれネットワークインターフェース７の経路メモリ29〜31と、ネットワークインターフェース47の経路メモリ57及び58とは、受信されたセルの別の処理と輸送とを編成するために、それぞれ割り当てられた受信回路32〜34と55及び56とにより評価される情報を含んでいる。例えば、セルは異なるアドレスを与えられてもよく、複写又は消去されてもよい。それぞれ経路メモリ29〜31と57及び58とは、例えば故障の場合又はネットワーク管理システムからの特定の情報に対する反応においては、それぞれの制御器27と52とにより変えられ得る。
【００３２】
第１リングシステムのネットワーク結合点と第２リングシステムのネットワーク結合点との間の接続の場合には、１個のセルが一方のリングシステムから他方のリングシステムへ行く場合に、仮想経路識別子と仮想チャネル識別子とは変えられねばならない。この目的のために、接続設立に対応する入口が経路メモリ内に作られる。リングシステムＢのネットワーク結合点ｆ（Ｂ，ｆ）からリングシステムＦのネットワーク結合点ｄ（Ｆ，ｄ）へ（図１参照）セルが送信されねばならないと仮定する。その時（Ｂ，ｆ）−（Ｂ，ｃ）−（Ｃ，ｆ）−（Ｃ，ｄ）−（Ｄ，ａ）−（Ｄ，ｄ）−（Ｅ，ａ）−（Ｅ，ｄ）−（Ｆ，ａ）−（Ｆ，ｄ）の経路が敷設される。リングシステムＢのネットワーク結合点ｆにより発生されたセルは、アドレス（Ｃ，ｆ）を与えられ、且つリングシステムＢのネットワーク結合点ｃへネットワーク結合点ｅ及びｄを介して伝達され、且つリングシステムＣのネットワーク結合点ｆへ関連するブリッジ接続を介して伝達される。リングシステムＣのネットワーク結合点ｆにおいて、アドレス（Ｃ，ｆ）が新しいアドレス（Ｄ，ａ）と代えられる。続いて、セルがリングシステムＤのネットワーク結合点ａへ、リングシステムＣのネットワーク結合点ｅ及びｄを介して到達する。新しいアドレス（Ｅ，ａ）が挿入された後に、セルはリングシステムＥのネットワーク結合点ａへ、リングシステムＤのネットワーク結合点ｄを通って進行する。セルが最後のリングシステムＦへ入る前に、そのセルのヘッダフィールド内へ新しいアドレス（Ｆ，ａ）が挿入され、且つそのセルがリングシステムＦの結合点ａへ結合点ｄ（リングシステムＥ）を介して進められる。更に移動した後に、セルはリングシステムＦのネットワーク結合点ｂ及びｃを介してネットワーク結合点ｄへ到達する。
【００３３】
ローカルエリアネットワーク内に誤りが生じた場合には、その誤りを検出するネットワーク結合点及びネットワーク管理システムが種々の処置を実行する。例えば、リング接続又はブリッジ又は局接続が遮断されてもよく、あるいはネットワーク結合点が切れてもよい。そのような誤りを検出するネットワークインターフェースはこの誤りをネットワーク管理システムへ告知する。ネットワークインターフェースの制御器は、例えばその制御器が受信されないか又は同期を喪失した制御セルを送ってしまった後に、そのような誤りを検出する。誤り通信文が受信されてしまった後に、ネットワーク管理システムがこの誤り情報を有効にするので、ネットワークインターフェース内の経路メモリが、関連する制御器によりそれに応じて変えられ得る。
【００３４】
２個のネットワークインターフェースの間のリング接続内に誤りが生じた場合には、その誤りによって何らの別のセルをもはや受信しないそのネットワークインターフェースが、ネットワーク管理システムに通知する。ネットワーク管理システムから誤り情報を受信した後に、セルを送信するネットワークインターフェースがループへ切り換える。このことは、欠陥のあるリング接続を介して送信されねばならない全部のセルが、ループを介して他のリングのリング接続へ送信されることを意味している。しかしながら、これは４個のリング接続を有するネットワークインターフェースによってのみ達成され得る。もう一つの場合においては、ネットワークインターフェースが２個のリング接続を有する場合に、そのセルは消去されるだろう。
【００３５】
ブリッジ接続内に誤りが存在する場合、すなわち２個のリングシステムの２個のネットワーク結合点の間の１個又は複数のラインが不完全である場合には、誤りを検出するネットワーク結合点がネットワーク管理システムに通知する。更にその上、経路メモリ内の入口がブリッジ接続を介して接続されたネットワークインターフェースにおいて変えられる。ブリッジ接続を介して伝達されなくてはならぬセルは、その時リングを介してのみ、且つブリッジ接続へではなく関連するスイッチにより輸送される。この目的のために、２個のインターフェース79及び80を有する一例が図５に示されている。ブリッジ接続81がネットワークインターフェース80から第２リングシステムのネットワークインターフェース79の第１リングシステムへセルを供給する。正常には、ブリッジ接続82を介して、セルはネットワークインターフェース79からネットワークインターフェース80へ進む。このブリッジ接続82が、例えば遮断される。その時セルはもはやブリッジ接続81及び82を介して伝達されないが、２個のリングシステムの間に別の接続が無い場合には、必要ならば、それらが破壊されたそれぞれのリングシステム内に残っている。
【００３６】
図６は２個のリングシステムの間にもう一つのブリッジ接続がある一例を示している。第１リングシステムのネットワークインターフェース85と、第２リングシステムのネットワークインターフェース86との間のブリッジ接続83又は84が、遮断されたと想定される。ブリッジ接続83及び84を介して一方のリングシステムから他方のリングシステムへ行かなくてはならないセルは、それ故に、第１リングシステムのネットワークインターフェース89と、第２リングシステムのネットワークインターフェース90との間の別のブリッジ接続87又は88を介して伝達される。ネットワークインターフェース85,86,89及び90内の経路メモリが、２個のセルが一方のリングシステムから他方のリングシステムへ伝達され得るように配設される。ネットワークインターフェース85と89の経路メモリ、及びネットワークインターフェース89と90の経路メモリが、同じ内容を有している。かくして、１個のブリッジ接続欠陥の場合に、セルがリングシステム間の別のブリッジ接続を介して伝達され得ることが保証される。図６において、ネットワークインターフェース85,86,89及び90は、各々４個のリング接続を有している。代わりに、各々用いられるべき２個のリング端末を有することが、ネットワークインターフェースに対して可能である。
【図面の簡単な説明】
【図１】ローカルエリアネットワークを示している。
【図２】図１に示したようなローカルエリヲネットワークに用いるのに適した、４個のリング接続を有するネットワークインターフェースを示している。
【図３】図１に示したようなローカルエリヲネットワークに用いるのに適した、２個のリング接続を有するネットワークインターフェースを示している。
【図４】各々２個のリング接続を有する３個のネットワークインターフェースを具えている、４個のリング接続を有するネットワークインターフェースを示している。【図５】２個のブリッジ接続を介して結合された、２個のリングシステムの２個のネットワークを示している。
【図６】ブリッジ接続を介して結合された、２個のリングシステムの４個のネットワークインターフェースを示している。
【符号の説明】
１〜６  リングシステム
７  ネットワークインターフェース
８  スイッチ
９〜14  バッファ記憶装置
15  受信リング接続
16, 17  接続
18  送信リング接続
19  受信リング接続
20, 21  接続
22  送信リング接続
23, 24  ブリッジ接続
25, 26  接続
27  制御器
28  切換回路網
29〜31  経路メモリ
32〜34  受信回路
47  ネットワークインターフェース
48, 49  リング接続
50, 51  ブリッジ接続
52  制御器
53  スイッチ
54  切換回路網
55, 56  受信回路
57, 58  経路メモリ
59  バッファ記憶装置
60  接続
61, 62  バッファ記憶装置
63〜65  接続
66  バッファ記憶装置
67〜69  ネットワークインターフェース
70, 71  リング接続
72  ブリッジ接続
73, 74  リング接続
75〜78  ブリッジ接続
79, 80  インターフェース
81〜84  ブリッジ接続
85, 86  ネットワークインターフェース
87, 88  ブリッジ接続
89, 90  ネットワークインターフェース